(57)【要約】      （修正有）【課題】ロッキング状態での安楽性に優れた椅子の製造コストを低減する。【解決手段】脚支柱２の上端に設けたベース３の後ろ向き張り出し部にガイド軸３２を固定し、ガイド軸３２が、背アウターシェル１５の潜り込み部１７に形成した溝穴３３に嵌め入れられている。背アウターシェル１５の潜り込み部１７はベース３の左右両側まで延びており、その前端間に軸受け１９を介して支軸１８が装架されている。軸受け１９はベース３におけるフランジ３ｃに載っているだけであり、支軸１８は後部ばね受け２３に固定されている。ベース３には座が前後動可能で上向き抜け不能に取付けられており、軸受け１９は座で上向き動不能に保持されている。ロッキング時には、支軸１８が前進することで背アウターシェル１５は下降しつつ後退し、これに連動して座も前進する。ベース３にスライド穴を設ける必要はないため、構造を簡単化できる。【選択図】図５
2015092965.tif 000002
【特許請求の範囲】
【請求項１】
脚の上端に設けたベースと、前記ベースの上に配置された座と、前記ベースに後傾動可能に取付けられた背もたれとを有しており、前記背もたれは前記座の下方に入り込む潜り込み部を有しており、前記潜り込み部の前端の回動軸部を中心にしてロッキングばねに抗して後傾すると共に、前記ベース又は座に設けた支持手段によって後傾動がガイドされている構成であって、
前記背もたれの回動軸部は、前記ベースの上面に載っていて前記座で上向き動不能に保持されている、
ロッキング椅子。
【請求項２】
前記回動軸部は前記ベースの上面に前後スライド可能に載っている、
請求項１に記載したロッキング椅子。
【請求項３】
前記回動軸部は、前記ベースの上面に面接触する軸受けと、前記軸受けに嵌まった支軸とで構成されている、
請求項２に記載したロッキング椅子。
【請求項４】
前記軸受けは前記ベースの上面に前後スライド可能に載っている一方、前記支軸には、前記ロッキングばねを支持するばね受けが設けられている、
請求項３に記載したロッキング椅子。
【請求項５】
前記ベースは金属板製であって左右両側に外向きに張り出したフランジを設けており、前記回動軸部は前記フランジの上面に載っている、
請求項１〜４のうちのいずれかに記載したロッキング椅子。
【請求項６】
前記座は、樹脂製の座板とその上に配置されたクッションとを有しており、前記座板に、前記ベースのフランジの下側に位置する抱持片と、前記回動軸部の上向き動を阻止する支持部とが設けられている、
請求項５に記載したロッキング椅子。
【請求項７】
前記潜り込み部と座とは連結されており、背もたれが後傾動すると座も前進動する、
請求項１〜６のうちのいずれかに記載したロッキング椅子。
【発明の詳細な説明】
【技術分野】
【０００１】
本願発明は、ロッキング椅子に関する。
【背景技術】
【０００２】
背もたれが後傾動するロッキング椅子の１つのタイプとして、背もたれがその回動支点を手前にずらしながら後傾するタイプがある。オフィス用回転椅子等の移動自在な椅子の場合、背もたれは脚の上端に設けたベースに取り付けられていることが多いので、ロッキングに際して背もたれの回動支点が前進するタイプでは、一般に、背もたれは、その回動支点とこれより後ろ又は上の部位とが、ベースに設けたガイド部で移動可能に支持されることになる。
【０００３】
このタイプの椅子に関する先行文献として、本願出願人が出願した特許文献１がある。この特許文献１では、背もたれに、座の下方に入り込む潜り込み部を設けて、潜り込み部の前端に設けた左右横長のピンをベースに設けた前後長手のガイド穴に嵌めることで、背もたれの後傾動を許容すると共に、ベースの後端に左右横長のスライドピンを設けて、背もたれの潜り込み部に設けた円弧状の長溝穴に嵌め込むことで、背もたれの沈み込みをガイドしている。また、特許文献１では、背もたれの潜り込み部と座とが連結されており、背もたれが後傾すると座は前進する。
【先行技術文献】
【特許文献】
【０００４】
【特許文献１】特開２０１３−１９８５６４号公報
【発明の概要】
【発明が解決しようとする課題】
【０００５】
特許文献１の椅子は、背もたれはスライドピンを中心に後傾するが、背もたれは回動支点を変化（前進）させながら後傾するため、背もたれの上端を後ろに大きく移動させなくても、大きなロッキング角度を得ることができる。このため、例えば椅子を前後に詰めて配置した場合であっても、後ろの人に迷惑を掛けることなく適度のロッキング状態を得ることができる。また、ロッキングによって身体が伸び勝手になることによっても、ロッキング状態での快適性を向上できる。
【０００６】
特許文献１の椅子はこのように優れた機能を有するが、製造コストを低減できると、新たなユーザーにとって有益である。
【０００７】
本願発明はこのような現状を契機として成されたものであり、ロッキング椅子をできるだけ低コストで製造できるようにすることを目的とするものである。
【課題を解決するための手段】
【０００８】
本願発明は、請求項１のとおり、ロッキング椅子は、脚の上端に設けたベースと、前記ベースの上に配置された座と、前記ベースに後傾動可能に取付けられた背もたれとを有しており、前記背もたれは前記座の下方に入り込む潜り込み部を有しており、前記潜り込み部の前端の回動軸部を中心にしてロッキングばねに抗して後傾すると共に、前記ベース又は座に設けた支持手段によって後傾動がガイドされている構成において、前記背もたれの回動軸部は、前記ベースの上面に載っていて前記座で上向き動不能に保持されている。
【０００９】
本願発明は、請求項２以下の構成も含んでいる。このうち請求項２の発明は、請求項１において、前記回動軸部は前記ベースの上面に前後スライド可能に載っている。請求項２の具体例として請求項３では、前記回動軸部は、前記ベースの上面に面接触する軸受けと、前記軸受けに嵌まった支軸とで構成されている。
【００１０】
請求項４の発明は、請求項３において、前記軸受け部は前記ベースの上面に前後スライド可能に載っている一方、前記支軸には、前記ロッキングばねを支持するばね受けが設けられている。
【００１１】
請求項５の発明は、請求項１〜３のうちのいずれかにおいて、前記ベースは金属板製であって左右両側に外向きに張り出したフランジを設けており、前記回動軸部は前記フランジの上面に載っている。請求項５の具体例として請求項６では、前記座は、樹脂製の座板とその上に配置されたクッションとを有しており、前記座板に、前記ベースのフランジの下側に位置する抱持片と、前記回動軸部の上向き動を阻止する支持部とが設けられている。
【００１２】
請求項７の発明は、請求項１〜６のうちのいずれかにおいて、前記潜り込み部と座とは連結されており、背もたれが後傾動すると座も前進動するようになっている。
【発明の効果】
【００１３】
請求項１の発明によると、潜り込み部の回動軸部はベースに載っているだけであるため、ピンの挿入工程を省くことができて、それだけ製造コストを低減できる。また、ベースにはピン穴を設ける必要がないため、ベースの強度アップにも貢献できる。特に、座が前後スライドする方式ではピン穴は長穴になるため、請求項２のように座が前後動するタイプに適用して、回動軸部をベースの上面でスライドさせることにより、ベースの強度をアップした状態で座の前後動を許容できて好適である。
【００１４】
請求項３のように回動軸部を軸受けと支軸とで構成すると、回動軸部の安定性を向上できる。更に、請求項３の構成では、軸受けは面接触の状態でベース上をスライドするため、軸受けの耐久性を向上できる。この場合、軸受けを樹脂製とすると、擦れ音を防止できて工程である（グリス等の潤滑剤を塗布してもよい。）。
【００１５】
ロッキング時に座が前後スライドする場合、ロッキングばねは座で支持することも可能であるが、請求項４のように支軸にばね受けを設けると、ロッキングばねをベースにセットした状態で座を取付けできるため、組み立てが簡単になる。
【００１６】
ベースで座を支持する場合は、応力集中を防止するにはある程度の面積で座を受けるのが好ましい。この場合、ベースと座との間にスペーサを介在させることで支持面積を確保することも可能であるが、請求項５のようにベースを金属板製としてフランジで座を支持すると、ベースを強度に優れた金属製としつつ、他の部材を要することなく座を支持できるため、強度やコスト、部材管理の点で好適である。フランジはリブ効果も発揮するため、ベースの強度をより一層向上できる利点もある。
【００１７】
回動軸部は座によって上向き動しないように保持されているが、この場合、請求項６のように座の抱持部でベースのフランジを下から抱持する構成を採用すると、簡単な構造で確実な抜けを防止できる。また、請求項６のようにロッキング時に座を前進させることで快適性を向上できるが、ベースのフランジは前後に長いため、座の前後動を阻害することなく、座がベースから外れることを防止できる利点がある。
【００１８】
請求項７のように背もたれの潜り込み部と座とを連結することにより、特許文献１と同様の快適なロッキング性能を簡単に実現できる。
【図面の簡単な説明】
【００１９】
【図１】実施形態に係る椅子の外観図で、（Ａ）は前からの斜視図、（Ｂ）は後ろからの斜視図である。
【図２】クッションを省略した状態での部分破断斜視図である。
【図３】クッションを省略した状態での部分破断分離斜視図である。
【図４】クッションを省略した状態での斜視図である。
【図５】座とカバーを省略した状態での一部分離斜視図である。
【図６】（Ａ）はスライド機構の分離斜視図、（Ｂ）はストッパーとベースとの分離斜視図である。
【図７】ベース回りを示す斜視図である。
【図８】（Ａ）は略中央部の縦断側面図、（Ｂ）は前後ばね受けの分離斜視図、（Ｃ）は前部ばね受けの部分側面図である。
【図９】（Ａ）は座板を倒した状態での分離斜視図、（Ｂ）は座インナーシェルと軸受けとの関係を示すためにひっくり返して示した斜視図である。
【図１０】座板の取付け方法を示す分離斜視図である。
【図１１】（Ａ）は座板を破断した状態で後ろから見た斜視図、（Ｂ）は座板と後部ばね受け及びストッパーとの関係を示す斜視図である。
【図１２】（Ａ）はベースと座板との関係を示す後ろからの斜視図、（Ｂ）は座板を後ろから見た斜視図、（Ｃ）はせ図８の XIIC-XIIC視断面図である。
【発明を実施するための形態】
【００２０】
次に、本願発明の実施形態を図面に基づいて説明する。なお、以下の説明で方向を示すため「前後」「左右」の文言を使用するが、これらの前後・左右の文言は、ロッキング椅子（以下、単に椅子と称する）に普通に着座した人が向いた方向を基準にしている。
【００２１】
まず、概要を説明する。本実施形態の椅子は事務用に多用されているいわゆる回転椅子に適用しており、椅子は、主要要素として、脚支柱（ガスシリンダ）２及び枝足を有する脚１と、脚支柱２の上端に取付けたベース３と、ベース３の上方に配置された座４と、ベース３に後傾動自在に連結された背もたれ５を備えている。脚１を構成する各枝足の先端には、キャスタを設けている。なお、ベース３の左右側面には、オプション品として肘掛けを取り付けることができる。
【００２２】
ベース３は例えば鋼板等の板金製であって、図４に示すように、底板と左右側板３ａと前板３ｂとを有する上向きに開口の箱状の形態であり、前後方向に長い形状である。また、図８に明示するように、ベース３は上向き開口の下部材６を有しており、下部材６とベース３とに貫通したブッシュ７に脚支柱２の上端を嵌着している。嵌着している。ベース３のうち脚支柱２の手前には、肘掛けを取り付けるための支持部材８を設けている。
【００２３】
図４に明示するように、ベース３を構成する左右側板３ａの上端には、前後方向に長い左右外向きのサイドフランジ３ｃを設けている。サイドフランジ３ｃの前部は、ある程度の範囲にわたって切欠かれている（切欠き部を符号９で示している。）。
【００２４】
座４は、樹脂製の座インナーシェル（座板）１０とその上に配置したクッション１１（図８参照）とを主要要素としており、クッション１１は、クロスやレザー等の表皮材（図示せず）で覆われている。座インナーシェル１０の詳細は後述する。図３から理解できるように、座インナーシェル１０は、下方から下カバー１２で覆われている。下カバー１２は、これに設けた左右の係合突起１３ａを座インナーシェル１０の係合ボス１３ｂ（図９参照）に嵌合させることで、座インナーシェル１０に取付けられている。
【００２５】
例えば図３のとおり、背もたれ５は、樹脂製の背アウターシェル１５とその前面に配置した樹脂製の背インナーシェル（背板）１６、及び背インナーシェル１６の前面に配置したクッション１６ａ（図１及び図８参照）とを主要要素としており、クッション１６ａはクロス等の表皮材で覆われている。
【００２６】
図２〜５から理解できるように、背アウターシェル１５は、座４の下方に入り込む潜り込み部１７を有している。潜り込み部１７は、ベース３の左右両側に位置するように左右に分離した二股状になっており、左右潜り込み部１７の前端間に左右長手の支軸１８が掛け渡されており、支軸１８は軸受け１９を介して潜り込み部１７の前端に取付けられている。従って、本願発明では、支軸１８と軸受け１９とが請求項に記載した回動軸部に該当する。
【００２７】
軸受け１９は例えば樹脂製であり、潜り込み部１７の先端に設けた円形の軸受け穴２０に外側から嵌まっていると共に、ベース３におけるフランジ３ｃに重なっている。フランジ３ｃに重なる部分は平坦面になっている。この場合、平坦面を上下に形成しているが、これは、方向性を無くして組み立てを容易ならしめると共に、座インナーシェル１０の支持面積も大きくするためである。軸受け１９は、座インナーシェル１０に設けた下向きリブ２１（図１１参照）によって抜け不能に保持されている。
【００２８】
図２〜５のとおり、支軸１８の左右中間部には、ロッキングばね（圧縮コイルばね）２２を後ろから支える後部ばね受け２３が固着されている。図６に示すように、後部ばね受け２３は左右の後ろ向き側板２３ａを有しており、後ろ向き側板２３ａの上部に支軸１８が貫通して溶接されている。
【００２９】
図６に明示するように、後部ばね受け２３の左右側板２３ａには後ろ向きに開口した切欠き２４が形成されており、この切欠き２４に樹脂製のストッパー２５が嵌まっている。ストッパー２５は、ベース３の側板３ａに切り起こした支持片２６で後ろから支えられており、ストッパー２５に設けた横向きリップ２７を、支持片２６の形成のためにベース３の側板３ａに空けられた窓穴２８に嵌め込んでいる。このため、ストッパー２５は脱落不能に保持されている。後部ばね受け２３の上端には、前向きに張り出した上支持片２３ｂを設けている。
【００３０】
後部ばね受け２３の後退位置はストッパー２５で規制されている。また、後部ばね受け２３が固定された支軸１６は背アウターシェル１５に連結座されているため、ストッパー２５は背もたれ５の初期姿勢（荷重が掛かっていない状態でのニュートラル姿勢）も規定している。ストッパー２５は樹脂製であるため、後部ばね受け２３が衝突したときの衝突音の発生を防止又は著しく抑制できる。
【００３１】
図５や図６等に示すように、ベース３の前面板３ｂには前部ばね受け２９が取付けられている。図８に明示するように、前部ばね受け２９は板金製の前パーツ２９ａと樹脂製の後ろパーツ２９ｂとから成っており、図６のとおり、前パーツ２９ａは、その左右に設けた前向き突起３０ａをベース３の前面板３ｂに設けた位置決め穴３０ｂ嵌めることで位置決めされている。
【００３２】
後ろパーツ２９ｂは前向きにした略コップ状の形態であり、中心に設けて軸を前パーツ２９ａに嵌着して固定している。図８のうち（Ａ）では後ろパーツ２９ｂは大まかにして表示していないが、実際には、後ろパーツ２９ｂの後端部には、（Ｂ）（Ｃ）に示すように、後端面と外周面とが連続したコーナー部を抉った状態の段部２９ｃを、周方向に沿って複数箇所（３箇所）に形成して、各段部２９ｃに、撓み変形可能なばね部２９ｄを後ろ向きに突設している。
【００３３】
ばね部２９ｄは帯板を曲げたような形態であり、先端部は夾角が小さい山形で、それより手前の部分は椀状に広がっている。従って、タマネギの外形に似た形状をしている。そして、各ばね部２９ｄの先端（後端）は後ろパーツ２９ｂの後面よりも後ろに突出している。
【００３４】
後部ばね受け２３の中央部にはランド部２３ｃを設けており、このランド部２３ｃが前部ばね受け２９に当たることで後部ばね受け２３の前進位置が規制されるが、単にランド部２３ｃを後部ばね受け２９に当たるだけであると、衝突したときの衝撃でコツコツと音が発生する場合であり得る。
【００３５】
これに対して本実施形態のように後部ばね受け２９にばね部２９ｄを設けると、前部ばね受け２３の衝突時の速度が急減速されるため、衝突音の発生を防止できる。実施形態のようにばね部２９ｄを両端が段部２９ｃに繋がった両端支持の形態にすると、荷重が大きいほど突っ張り力が高くなるため、高い緩衝作用を保持できる利点がある。ばね部は後部ばね受け２３に設けることも可能であるし、後部ばね受け２３と前部ばね受け２９との両方にも設けてもよい。前部ばね受け２９又は後部ばね受け２３に、別部材の緩衝用ばねを設けることも可能である。
【００３６】
前部ばね受け２９における前パーツ２９ａの上端部には、当該前パーツ２９ａの左右両側に突出した左右横長の支持バー３１が溶接で固定されている。図６では支持バー３１と前部ばね受け２９とを離して表示しているが、図５のように、両者は溶接されている。
【００３７】
図７に示すように、ベース３には、背アウターシェル１５の左右潜り込み部１７の間において後ろ向きに突出した後ろ向き張り出し部３ｄが形成されており、後ろ向き張り出し部３ｄの後端部に左右横長のガイド軸３２を固定している。ガイド軸３２は後ろ向き張り出し部３ｄの後端部の左右外側に突出しており、この突出した先端部が、背アウターシェル１５における潜り込み部１７の内側面に設けたガイド溝３３に嵌まっている。
【００３８】
ガイド溝３３は略上向き凹の円弧状になっており、背もたれ５は、ガイド溝３３にガイドされて沈みながら支軸１８を中心に後傾動する。すなわち、回動支点を手前に移動させながら後傾していく。従って、背もたれ５は特許文献１と同じ動きをする。
【００３９】
図１０に示すように、ガイド溝３３の前端には下向き開口部３３ａを形成している。従って、潜り込み部１７は、上から下に移動させるだけでガイド軸３３に取り付けることができる。ガイド軸３２とガイド溝３３とは、背もたれ５を沈ませながら後傾させるガイド手段の一例である。
【００４０】
背もたれ５の背アウターシェル１５は強度メンバーとして機能するものであり、例えば図５に示すように、潜り込み部１７とこれに連なる部分に多数の補強リブが形成されている。また、図３〜５のとおり、背もたれ５における潜り込み部１７には、左右横長のステー３６で連結された左右２本のジョイントバー３７を取り付けて、ジョイントバー３７に背インナーシェル１６を取付けている。
【００４１】
ジョイントバー３７は、前向き下部３７ａと起立状後部３７ｂと両者を繋ぐ中間部３７ｃとを有しており、前向き下部３７ａは背アウターシェル１５の潜り込み部１７に形成したトンネル部３８に嵌まっており、中間部３７ｃは背アウターシェル１５に設けた保持溝３９に嵌まっている。そして、起立状後部（背支柱）３７ｂに、背インナーシェル１６の後面に設けた下向きに筒部（図示せず）が嵌まっている。
【００４２】
図４，５に示すように、背アウターシェル１５の前面には、背インナーシェル１６を離脱不能に保持するためのキャッチ４０を突設している。背インナーシェル１６には、キャッチ４０に上から嵌合する係合突起（図示せず）を設けている。従って、背インナーシェル１６は、係合突起とキャッチ４０との嵌め合わせによって背アウターシェル１５に離脱不能に保持されつつ、ジョイントバー３７で補強されている。
【００４３】
例えば図６のとおり、ベース３の左右両側のうち一方の側には、脚支柱２のロックを解除する昇降レバー４２を設けて、ベース３の他方の側に、背もたれ５をロッキングが可能な状態と不能な状態とに切り換えるロックレバー４３を設けている。昇降レバー４２は、脚支柱２のバルブを押すロッド４４を有しており、ロッド４４は、ベース３に固定した樹脂製のホルダー４５で回動自在に保持されている。
【００４４】
また、ロックレバー４３には、左右横長の軸心回りに回動するロッド４６が取付けられており、ロッド４６の回動軸部にロック体４７の前端部を固定している。ロック体４７は、ロッド４６を介してホルダー４５に装着されており、ロックレバー４４を回動操作すると、ロック体４７はその後端が上下動するように回動し、すると、ロック体４７の後端が、ジョイントバー３７を連結しているステー３６の手前に位置したり上にずれたりする。これにより、背もたれ５が後傾可能な状態と後傾不能な状態とに切り換えられる。
【００４５】
図２，３に示すように、座インナーシェル１０は、多数の凹み４８を有するヒンジ部１０ａを挟んで前部１０ｂと後部１０ｃとに区分けされており、後部１０ｃは前後１０ｂに対して後傾動し得る。なお、前部１０ｂと後部１０ｃとの区分はヒンジ部１０ａの前と後ろという意味であり、前後中間点を基準にした区分けではない。
【００４６】
そして、図９や図１１（Ｂ）、図１２に示すように、座インナーシェル１０には、左右側板４９ａと前側板４９ｂとを有する下向き枠４９が形成されており、左右側板４９ａの下端に抱持片５０を設けて、抱持片５０でベース３のフランジ３ｃを下から抱き込むことにより、座インナーシェル１０の上向き動を防止している（特に、図１２（Ａ）を参照）。
【００４７】
また、図１２（Ｃ）から容易に理解できるように、下向き枠４９における側板４９ａの内側に、ベース３の前端に設けた支持バー３１の端部に載るスライド部５１を設けている。従って、支持バー３１の端部は、スライド部５１と抱持片５０との間の長溝５２に嵌まっており、これによっても、座インナーシェル１０の上向き動が阻止されている。
【００４８】
図９や図１１（Ｂ）に示すように、抱持片５０のうち後端寄り部位には切欠き５３が形成されている。これは、座インナーシェル１０をベース３に取り付けるにおいて、支持バー３１への嵌め込みを許容するためである。また、既述のとおりベース３におけるフランジ３ｃの前部には切欠き部９が形成されているが、切欠き部９は、抱持片５０の後端部（切欠き５３より後ろの部分）をフランジ３ｃの下側に落とし込むためのものである。
【００４９】
例えば図１１から理解できるように、座インナーシェル１０の下向き枠４９には、後部ばね受け２３の上支持片２３ｂに当接又は近接したセンター支持部５４を設けている。このセンター支持部５４は、請求項に記載した支持部として機能し得る。また、図９（Ｂ）に示すように、座インナーシェル１０には、請求項に記載した支持部の例として、後退状態で軸受け１９に上から当接する押さえ部５５を設けている。軸受け１９と座インナーシェル１０とは一緒に前後動するので、座インナーシェル１０は、軸受け１９を介してベース３のフランジ３ｃで支持されてスライドする。
【００５０】
図１１（Ｂ）に示すように、座インナーシェル１０における下向き枠４９の後部には、後部ばね受け２３に手前から当たるボス体５６を設けている。後部ばね受け２３でボス体５６が押されることにより、座インナーシェル１０が前進する。座インナーシェル１０が後退し切った状態では、既述のとおり、後部ばね受け２３がストッパー２５に当たって、後部ばね受け２３は座インナーシェル１０との後退位置が規制される。なお、座インナーシェル１０と背アウターシェル１５とは後述するように連結されており、座インナーシェル１０は、背アウターシェルに引っ張られて後退動する。
【００５１】
ボス体５６は、ベース３の内側面に面接触状態で密接又は当接するように左右に２個配置しており、このため、座インナーシェル１０（及び座４）は左右動不能に保持されている。この場合、ボス体５６は樹脂製の座インナーシェル１０に設けているため、座４の前後動に際して音が発生することはない。また、座４を前進させる機能と左右ずれ防止機能をボス体５６に保持させているため、それだけ構造を簡単化できる。
【００５２】
次に、図９，１０を参照して、座インナーシェル１０は背アウターシェル１５との連結構造を説明する。座インナーシェル１０の後部のうち左右両端寄り部位には、左右の内向き鉤爪５７ａを有する下向きの前部キャッチ５７を設けている一方、背アウターシェル１５の潜り込み部１７には、前部キャッチ５７が手前から嵌まり込む後部キャッチ５８を設けている。後部キャッチ５８には、内向き鉤爪５７ａが上向き抜け不能に係合する外向き爪５８ａを設けている。
【００５３】
また、座インナーシェル１０のうち前部キャッチ５７の左右内側には、出前に向けて延びるストッパー爪５９を設けている一方、背アウターシェル１５の潜り込み部１７には、ストッパー爪５９が上から嵌まり込むストッパー穴６０を設けている。
【００５４】
ストッパー爪５９は前端が自由端になっており、爪部５９ａは後ろに行くに従って高くなる傾斜面を５９ｂを有する。このため、後部キャッチ５７をキャッチ受け５８に嵌めた状態で座インナーシェル１０を後ろにずらすと、ストッパー爪５９はいったん上向きに起きるように弾性変形し、次いで、座インナーシェル１０を押し込み切ると弾性復元力で元の姿勢に戻り、爪部５９ａがストッパー穴６０に上から嵌まり込む。これにより、座インナーシェル１０は前後動不能に保持される。潜り込み部１７のストッパー穴６０の前端は壁６０ａで構成されており、壁６０ａには、ストッパー爪５９の誘いのための傾斜状のガイドリブ６１を設けている。
【００５５】
座インナーシェル１０の後端には後ろ向きに鉤状のリア爪６２を設けており、背アウターシェル１５の潜り込み部１７には、リア爪６２を上向き動不能に保持するリブ６３を設けている。これは、ロッキング時に、座インナーシェル１０の後端を背アウターシェル１５と一緒に強制的に下降させるものである。
【００５６】
以上の構成において、着座した人が背もたれ５に凭れかかると、背アウターシェル１５は、支軸１８を中心にして後傾しつつ、下降しながら手前に向けて移動し、かつ、座４は背アウターシェル１５に取付けられた支軸１８で押されて前進動する。このため、特許文献１と同様の快適なロッキング状態を得ることができる。背アウターシェル１５が戻り回動すると、背アウターシェル１５はロッキングばね２２によって戻り回動し、座３は背アウターシェル１５に引っ張られて後退する。
【００５７】
そして、支軸１８と軸受け１９とからなる回動軸部はベース３に上から載っているだけの簡単な構造であると共に、座インナーシェル１０は手前からの差し込みによってベース３及び背アウターシェル１５に取付けられるため、組み立てもごく簡単である。これにより、コストダウンに貢献でできる。
【００５８】
座インナーシェル１０の前部を支持する支持バー３１はベース３に固定してもよいが、前部ばね受け２９に固定しておくと、前部ばね受け２９は前向き突起３０ａと位置決め穴３０ｂとによって正確に位置決めされるため、高精度でしかも簡単に取り付けることができる利点がある。
【００５９】
上記の実施形態は、背もたれのガイドをベース３に設けたガイド軸３２によって行っているが、背もたれのガイド手段は様々の構成を採用できる。背もたれ５を座に対して相対動可能に連結してもよいのである。また、本願発明は、ロッキング時に座が前進しない椅子にも適用できる（座は、少なくとも後部がロッキング時に後傾のみする構成とすることも可能である。）。また、移動式でない固定式の椅子にも適用できる。
【００６０】
回動軸部は必ずしも支軸と軸受けで構成する必要はなく、支軸のみで構成したり、軸部を背アウターシェルに一体に設けたりすることも可能である。回動軸部が前後動しない椅子の場合は、ベースに上向き開口の溝穴を設けて、この溝穴に回動軸部を嵌め込むことも可能である。背もたれは、前後に開口した枠とこれに張ったメッシュ材とで構成することも可能である。この場合は、枠に潜り込み部を設けることになる。潜り込み部は別体の構造として、これを背アウターシェル等に固定してもよい。
【００６１】
回動軸部が必ずしもベースのフランジで支持する必要はない。例えばベースを板金製とした場合は、左右側板をフランジがない態様として、左右側板の状態に樹脂製の受け材を取付け、この受け材で回動軸部を支持してもよい（受け機能を軸受けに設けることで、軸受けを側板に直接装着することも可能である。）。軸受けを設ける場合、アルミダイキャストや金属の削り出し品なども採用できるのであり、その素材や形態は任意に設定できる。
【００６２】
更に、ベースは金属板製には限らず、アルミダキャスト品や鋳造品、或いは樹脂の成形品なども採用できる。異種材の複合品とすることも可能である。
【産業上の利用可能性】
【００６３】
本願発明は椅子に具体化できる。従って、産業上利用できる。
【符号の説明】
【００６４】
１  脚装置
３  ベース
３ｃ  フランジ
４  座
５  背もたれ
１０  座インナーシェル（座板）
１５  背もたれを構成する背アウターシェル
１７  背アウターシェルの潜り込み部
１８  回動軸部を構成する支軸
１９  回動軸部を構成する軸受け
２２  ロッキングばね
２３  後部ばね受け
２９  後部ばね受け
３２  背もたれのガイド手段を構成するガイド軸
３３  背もたれのガイド手段を構成するガイド溝
５０  抱持片
５１  スライド部
５２  長溝
５４  センター支持部
５５  押さえ部（支持部）
５７  キャッチ
５８  キャッチ受け
５９  ストッパー爪
６０  ストッパー穴                                                
【図１】
2015092965.tif 000003
【図２】
2015092965.tif 000004
【図３】
2015092965.tif 000005
【図４】
2015092965.tif 000006
【図５】
2015092965.tif 000007
【図６】
2015092965.tif 000008
【図７】
2015092965.tif 000009
【図８】
2015092965.tif 000010
【図９】
2015092965.tif 000011
【図１０】
2015092965.tif 000012
【図１１】
2015092965.tif 000013
【図１２】
2015092965.tif 000014